(57)【要約】【課題】  小型で簡単に取り付けが行え、電話機のフックスイッチの状態変化を的確に検出できる。【解決手段】  電話機のフックスイッチ３０１がオン又はオフの状態に変化するとフックスイッチ３０１上に貼付された磁性体２０２の磁界の強さも変化し、磁性体２０２の近傍に配置された磁気抵抗効果素子２０１が磁性体２０２の有無を電圧の変化として検出する。【選択図】      図３
2006081017.tif 000002
【特許請求の範囲】
【請求項１】
電話機におけるフックスイッチがオン又はオフの状態に変化したことを検出するフック状態検出装置であって、
電話機のフックスイッチ上に貼付された磁性体と、
前記磁性体の近傍に配置され、前記磁性体の有無を電圧の変化として検出する磁気抵抗効果素子を含む検出手段とを備え、
前記検出手段は、前記磁気抵抗効果素子の電圧変化に応じて前記フックスイッチがオン又はオフの状態に変化したことを検出することを特徴とするフック状態検出装置。
【請求項２】
前記検出手段での検出結果に基づいて前記電話機による会話を記録する記録ユニットの記録開始及び記録終了を制御する制御手段を更に備えることを特徴とする請求項１記載のフック状態検出装置。
【発明の詳細な説明】
【技術分野】
【０００１】
本発明は、電話機におけるフックスイッチがオン又はオフの状態に変化したことを検出するフック状態検出装置に関する。
【背景技術】
【０００２】
社会的な情勢の変化により、好むと好まざるとに関わらず、個人或いは企業等におけるリスク管理の必要性が増大している。その中で、日常的に実施されている対面会話、電話での会話が自己防衛の重大な証拠としての価値をもってきている。
【０００３】
このような背景の中で、電話での会話を記録する装置（データロガー）又はシステムが個人又は企業に設定されるようになっている。
【０００４】
一般に、このようなデータロガー装置は、相手から電話が掛かってきたときに、受話器が取られたこと（オフフック）を検知し、その信号によって記録を開始している。そして、この受話器のオフフックを検知する方法としては、電話機本体から受話器が離れたことを光センサによって検出する方法が一般的である。
【特許文献１】特開平１１−９８２４６号公報
【発明の開示】
【発明が解決しようとする課題】
【０００５】
しかしながら、上述した光センサによる検出方法では、以下のような問題がある。
（１）光発光部、受光部が大きい。
（２）受話器などに取り付ける接合方法が難しい。
（３）扱い方法によっては、離脱する。
（４）使用中に不具合が発生する。
【０００６】
また、電話が設置される場所、取り扱い方法等は様々であり、誰でも簡単にこのデータロガーを取り付けられるようにするためには、これを付加したことによって、そのために余分のことをさせないようにする必要がある。
【０００７】
つまり、取り付ける装置又はシステムが邪魔にならないように小型で、且つ取り付けが簡単であり、使用中に不具合が生じた場合でも、簡単に修復できることが要求される。
【０００８】
本発明は、上記課題を解決するためになされたもので、小型で簡単に取り付けが行え、電話機のフックスイッチの状態変化を的確に検出することを目的とする。
【課題を解決するための手段】
【０００９】
本発明は、電話機におけるフックスイッチがオン又はオフの状態に変化したことを検出するフック状態検出装置であって、電話機のフックスイッチ上に貼付された磁性体と、前記磁性体の近傍に配置され、前記磁性体の有無を電圧の変化として検出する磁気抵抗効果素子を含む検出手段とを備え、前記検出手段は、前記磁気抵抗効果素子の電圧変化に応じて前記フックスイッチがオン又はオフの状態に変化したことを検出することを特徴とする。
【発明の効果】
【００１０】
本発明によれば、小型で簡単に取り付けが行え、電話機のフックスイッチの状態変化を的確に検出することができる。
【発明を実施するための最良の形態】
【００１１】
以下、図面を参照しながら発明を実施するための最良の形態について詳細に説明する。
【００１２】
図１は、本実施形態におけるデータロガーシステムの構成の一例を示す図である。図１において、１０１はＭＲセンサモジュールであり、磁気抵抗効果素子（ＭＲ素子）を使用して磁性体の有無を検出する微弱磁界検出器である。このＭＲセンサモジュール１０１は、受話器により電話機のフックスイッチがオフフック或いはオンフックされたことを検知する。１０２はスイッチ／アンプ（ＳＷ／ＡＭＰ）回路であり、ＭＲセンサモジュール１０１からフックスイッチ検知信号（センス信号）を入力し、後述するデータロガーへ信号線を接続するリレーのオン／オフを制御する。
【００１３】
１０３は電源重畳器であり、複数の電話機とデータロガーを使用する場合に、後述するＤＣ電源をスイッチ／アンプ回路１０２へ分配する。１０４はＤＣ電源であり、スイッチ／アンプ回路１０２を動作させるための電源である。１０５は複数のチャネル１〜ｎから構成されるデータロガーユニットであり、複数の電話機による会話を記録するためのものである。
【００１４】
次に、上述したＭＲセンサモジュール１０１を電話機へ取り付ける際の取り付け方法について具体的に説明する。
【００１５】
図２は、ＭＲセンサモジュールの取り付け方法の一例を示す図である。図２において、２０１はＭＲセンサモジュール１０１内に設けられたＭＲ素子である。２０２は磁気発生素材（磁性体）であり、基本的に磁性体であれば可能であるが、取り扱い、保守性の容易なものが良い。具体的には、磁気シート等を電話機２００のフックスイッチの上面に貼り付けるか、電話機２００のフックの中に埋め込んでおく。２０３は電話機２００の受話器が置かれる面である。
【００１６】
図３は、図２に示すＭＲセンサモジュールを取り付けた状態を示す側面図である。図３において、３０１は受話器のオンフック／オフフックを検出するためのフックスイッチである。図３に示すように、ＭＲセンサモジュール１０１は、フックスイッチ３０１が上下に移動した時に磁性体２０２による磁界の強さで抵抗値が変わり、その最小値と最大値とを検知可能な部分に設置される。つまり、ＭＲセンサモジュール１０１は、磁性体２０２の有無を電圧の変化として検出するものである。
【００１７】
尚、図２に示す取り付け例では、受話器の上方向にＭＲセンサモジュール１０１を設置した場合を示したが、本発明はこれだけに限らず、設置条件等に基づいて自由に設置することができる。
【００１８】
図４は、変形例におけるＭＲセンサモジュールの取り付け方法の一例を示す図である。図４に示すように、受話器２１０の右横に磁性体２０２とＭＲセンサモジュール４０１とを設置することも可能である。この場合、ＭＲセンサモジュール４０１は、図３に示したＭＲセンサモジュール１０１を反転させて設置したものである。
【００１９】
このように、本実施形態におけるＭＲセンサモジュールの取り付けは、図３又は図４に示すように、受話器２１０の上方向（図３に示す１０１）又は横方向（図４に示す４０１）の何れの方向にも設置することができる。また、取り付け方法の自由度を増すために、本実施形態では、ＭＲセンサモジュール１０１（又は４０１）からスイッチ／アンプ回路１０２への引き出し線は９０度回転可能に構成されている。
【００２０】
図５は、引き出し線を９０度回転可能に構成したＭＲセンサモジュールを示す図である。図５に示すように、ＭＲ素子２０１の方向に応じてＭＲセンサモジュール５０１の引き出し線を実線又は破線で示す方向に変更できるように構成されている。
【００２１】
図６は、設置方向に対するＭＲセンサモジュールと引き出し線との関係を示す図である。図６に示すように、図５に示したＭＲセンサモジュール５０１を受話器２１０の上方向（Ａの場合）又は横方向（Ｂの場合）に設置したとしても、実線又は破線で示すように、引き出し線を９０度回転させることにより、設置者又はユーザが容易に所望の方向へ変更することができる。
【００２２】
次に、上述したＭＲセンサモジュール１０１からの信号を入力し、データロガー１０５による通話記録を開始或いは終了させるスイッチ／アンプ（ＳＷ／ＡＭＰ）回路１０２の構成を電話機及びデータロガーと整合させる方法と共に説明する。
【００２３】
現在使用されている電話器の多くは、設置環境を含めて様々な特性を持っている。そのため、外部に接続する装置は、それらの異なる特性に対して任意に整合させる方法を考慮しておくことが必要である。この問題に対する対策として、図７に示すような整合方法が考えられる。
【００２４】
図７は、本実施形態におけるトランス整合回路を示す図である。図７において、７０１は電話機、７０２、７０４は共に整合トランス（整合比６００Ω：６００Ω）、７０３はスイッチ／アンプ（ＳＷ／ＡＭＰ）回路、７０５はデータロガーである。
【００２５】
ここで、上述の整合トランス７０２、７０４及びスイッチ／アンプ回路７０３（以下、スイッチ／アンプユニットと称す）の詳細な構成について説明する。
【００２６】
尚、電源の給電方法によって、個別給電方式とセンタ給電方式の２つの方式でスイッチ／アンプユニットを構成することができる。
【００２７】
図８は、個別給電方式のスイッチ／アンプユニットの構成の一例を示す図である。図８に示すように、個別のＤＣ電源がスイッチ／アンプユニットに接続され、電源部８０３に給電され、リレー８０１及びアンプ８０２に電源を供給する。
【００２８】
図８において、ＭＲセンサモジュールからのセンス信号が入力され、ＭＲ素子が磁力を感知した状態でセンス信号がオンであるとする。即ち、電話機の受話器がフックスイッチに置かれた状態（オンフック）がセンス状態である。
【００２９】
リレー８０１は、センス信号のオンからオフへの変化で信号線の接続を行い、オフからオンへの変化で接続を遮断するものとする。即ち、電話回線に着信があり、ユーザが受話器を取り、その着信に応答するとフックスイッチがオフフックとなり、センス信号がオンからオフに変化し、リレー８０１が電話機での会話信号をデータロガーに送信するように、データロガーへの信号線を接続する。
【００３０】
その後、ユーザが受話器をフックスイッチに置き（オンフック状態）、通話を終了すると、センス信号がオフからオンに変化してリレー８０１が会話信号をデータロガーに送信しないように、データロガーへの信号線の接続を遮断する。
【００３１】
また、アンプ８０２はトランス結合による損失分（約１ｄＢの減衰）を規定レベルまで増幅するためのものである。
【００３２】
図９は、センタ給電方式のスイッチ／アンプ（ＳＷ／ＡＭＰ）ユニットの構成の一例を示す図である。このセンタ給電方式は、図１に示したように、電源重畳器１０３を介してスイッチ／アンプユニット１０２に給電するものである。この場合、図９に示すように、データロガー１０５側トランスにコンデンサ９０１を挿入し、ＤＣ電源による影響を遮断している。
【００３３】
以上説明したように、本実施形態によれば、小型で、且つ取り付けが簡単なＭＲセンサモジュールにより、電話機のフックスイッチのオンフック状態／オフフック状態を的確に検出でき、検出装置を意識せずに自然な会話が可能である。
【００３４】
また、電話機の特性として、相手音声と自音声のレベルが異なり、データロガーで会話を記録する際に均一な明瞭度が得られないという欠点に対して、ＡＭＰ機能を有することで、今までにない小型で高性能な検出装置を実現することができる。
【００３５】
更に、電話回線の４本の信号線の任意の組み合わせに対しても、整合接続回路を備えることで、汎用性を向上させることができる。
【００３６】
また、既に提案されている装置は、装置個々に対して１個のＤＣ電源が付属され、電話機、ロガー付近に取り付けられ、煩雑であったが、本実施形態では、電話回線の中に電源給電線を混在させることで集中給電が可能となり、煩雑性を解消することができる。
【図面の簡単な説明】
【００３７】
【図１】本実施形態におけるデータロガーシステムの構成の一例を示す図である。
【図２】ＭＲセンサモジュールの取り付け方法の一例を示す図である。
【図３】図２に示すＭＲセンサモジュールを取り付けた状態を示す側面図である。
【図４】変形例におけるＭＲセンサモジュールの取り付け方法の一例を示す図である。
【図５】引き出し線を９０度回転可能に構成したＭＲセンサモジュールを示す図である。
【図６】設置方向に対するＭＲセンサモジュールと引き出し線との関係を示す図である。
【図７】本実施形態におけるトランス整合回路を示す図である。
【図８】個別給電方式のスイッチ／アンプユニットの構成の一例を示す図である。
【図９】センタ給電方式のスイッチ／アンプユニットの構成の一例を示す図である。
【図１】
2006081017.tif 000003
【図２】
2006081017.tif 000004
【図３】
2006081017.tif 000005
【図４】
2006081017.tif 000006
【図５】
2006081017.tif 000007
【図６】
2006081017.tif 000008
【図７】
2006081017.tif 000009
【図８】
2006081017.tif 000010
【図９】
2006081017.tif 000011